(57)【要約】【課題】通常の使用時には確実に固定されていて不用意に外れる等の虞はなく、取り外しの際には極めて簡単に取り外すことができる化粧品収納皿を備えた化粧用コンパクト容器を提案する。【解決手段】本体２の収納凹部６内に嵌合した中枠４と、中枠４内部に画成した嵌合凹部内に嵌合させた化粧品収納皿５とを備え、化粧品収納皿外面と中枠周壁部１７内面とに係合手段ａを設けて抜け出しを防止し、一方、係合手段ａ形成部位の中枠周壁部１７を揺動可能な揺動板部２４に画成するとともに、該揺動板部を外方へ弾性変形させるレバー２５を本体２外面に露出させた。【選択図】図１
2004033290.tif 000002
【特許請求の範囲】
【請求項１】
収納凹部６を備えた皿状の本体２と、本体２後部に後部を枢着して本体上面を開閉可能に設けた蓋体３と、上記収納凹部６内周に嵌合させて装着するとともに、内部に化粧品収納皿嵌合用の嵌合凹部２１を画成した中枠４と、上記嵌合凹部２１に嵌合させた化粧品収納皿５とを備え、上記化粧品収納皿５外面と中枠周壁部１７内面とに化粧品収納皿５の上方への抜け出しを防止する係合手段ａを設けるとともに、該係合手段ａ形成部位の中枠周壁部１７を揺動可能な揺動板部２４に画成し、該揺動板部外方にその外方への揺動が可能な隙間ｄを設けるとともに、該揺動板部２４を外方へ弾性変形させるレバー２５を本体２外面に露出させてなることを特徴とする化粧用コンパクト容器。
【請求項２】
上記揺動板部２４が、上記嵌合凹部２１内における左右一方の係合手段ａ形成部位の中枠周壁部１７を、前端を連結した横長矩形状に切り離し線２８を介して画成した揺動板部であり、上記レバー２５が、上記揺動板部の自由端である後端部下面に一端を連結して後部周壁部１７に沿って延びる連結板２９を切り離し線３０を介して中枠底壁部１６に画成するとともに、連結板２９先端部後面より後方へ一体に延設して、本体後部に凹設した枢着用凹部１０内に臨ませたレバーである請求項１記載の化粧用コンパクト容器。
【発明の詳細な説明】
【０００１】
【発明の属する技術分野】
本発明は化粧用コンパクト容器に関し、詳しくは、化粧品を収納した収納皿が使用時には確実に固定されて外れる等の不都合がなく、また化粧品を使い切った際にその交換を簡単に行える化粧用コンパクト容器に関する。
【０００２】
【従来の技術】
化粧用コンパクト容器として、本体上の収納凹部内に化粧品を収納した収納皿を嵌合させて使用するものが一般に知られている。これら容器の収納皿は、使用中に外れるのを防止するために、例えば、外周面を収納凹部内周面に密に嵌合させて抜け出しを防止したり、或いは、外周面に突設した突条を収納凹部内周面に凹設した係合凹部に嵌合させて抜け出しを防止する如く構成している。
【０００３】
一方、収納皿内の化粧品を使い切った際に新たな交換用の収納皿と交換して使用することも行われており、この様な場合には、嵌合した収納皿が簡単に外れることが要望される。従来は本体底面に孔をあけてそこから棒などにより収納皿を押し上げて外す如く構成している。従って、収納皿の嵌合強度が強かったり、係合手段の係合強度が強かったりするとなかなか外れ難くなる。また、これら嵌合強度が弱く上記手段で容易に外れる如く構成している場合には、通常の使用時に外れる虞がある。
【０００４】
【発明が解決しようとする課題】
本発明は上記した点に鑑みてなされたもので、通常の使用時には確実に固定されていて不用意に外れる等の虞はなく、取り外しの際には極めて簡単に取り外すことができる化粧品収納皿を備えた化粧用コンパクト容器を提案するものである。
【０００５】
【課題を解決するための手段】
本請求項１発明の化粧用コンパクト容器は、上記課題を解決するため、収納凹部６を備えた皿状の本体２と、本体２後部に後部を枢着して本体上面を開閉可能に設けた蓋体３と、上記収納凹部６内周に嵌合させて装着するとともに、内部に化粧品収納皿嵌合用の嵌合凹部２１を画成した中枠４と、上記嵌合凹部２１に嵌合させた化粧品収納皿５とを備え、上記化粧品収納皿５外面と中枠周壁部１７内面とに化粧品収納皿５の上方への抜け出しを防止する係合手段ａを設けるとともに、該係合手段ａ形成部位の中枠周壁部１７を揺動可能な揺動板部２４に画成し、該揺動板部外方にその外方への揺動が可能な隙間ｄを設けるとともに、該揺動板部２４を外方へ弾性変形させるレバー２５を本体２外面に露出させてなることを特徴とする化粧用コンパクト容器として構成した。
【０００６】
また、請求項２発明の化粧用コンパクト容器は、上記揺動板部２４が、上記嵌合凹部２１内における左右一方の係合手段ａ形成部位の中枠周壁部１７を、前端を連結した横長矩形状に切り離し線２８を介して画成した揺動板部であり、上記レバー２５が、上記揺動板部の自由端である後端部下面に一端を連結して後部周壁部１７に沿って延びる連結板２９を切り離し線３０を介して中枠底壁部１６に画成するとともに、連結板２９先端部後面より後方へ一体に延設して、本体後部に凹設した枢着用凹部１０内に臨ませたレバーである請求項１記載の化粧用コンパクト容器として構成した。
【０００７】
【発明の実施の形態】
以下、本発明の実施の形態を図面を参照して説明する。
【０００８】
本発明の化粧用コンパクト容器１は、本体２と、蓋体３と、中枠４と、化粧品収納皿５とを備えている。
【０００９】
本体２は、収納凹部６を備えた皿状をなしている。図示例に於いては、底壁７周縁部より周壁８を立設した矩形皿状をなし、周壁８の前後を肉厚に形成し、周壁の前部には釦用凹部９を、後部には枢着用凹部１０をそれぞれ内方へ凹設している。釦用凹部９内奥面に突設した係止突起１１に、蓋体３のフックを係合させて蓋体を係止させる如く構成しており、釦用凹部９内には公知機構の押釦１２を装着し、該押釦１２の押込みによりフックと係止突起１１との係合が外れる如く構成している。また、周壁８後部の枢着用凹部１０凹設部分所定位置には、後述するレバーを挿通するための横長の窓孔１４を穿設している。
【００１０】
蓋体３は、本体２後部に後部を枢着して開閉可能に設けた伏皿状をなし、図示例では、後部中央より垂設した枢着部１５を上記枢着用凹部１０内に垂下して枢着し、本体２上面を開閉可能に設けている。また、前部からは図示しないフックを垂設し、係止突起１１に係合可能に構成している。
【００１１】
中枠４は、化粧品収納皿５を嵌着する嵌合凹部を画成するためのものであり、或いは嵌合凹部を画成するとともに、パフ，化粧筆等の化粧具を収納する化粧具収納凹部を併せて画成するためのものであり、本体２の上記収納凹部６内周に嵌合させて装着する。また、中枠４は有底のものであっても、底無しのものであっても良く、上記化粧具収納凹部がなく、上記嵌合凹部のみのものであっても、或いは上記嵌合凹部の外に上記化粧具収納凹部を複数画成したものであっても良い。
【００１２】
図示例では、上記収納凹部６内に嵌合させた皿状をなしており、矩形状の底壁部１６周縁部より周壁部１７を立設し、周壁部１７上端縁より外方へフランジ１８を延設して構成しており、フランジ１８周面を収納凹部６内周上端部に密嵌させて周壁部１７外方に隙間ｄを形成した状態で嵌合させている。また、周壁部１７両側の前後方向中央部を横断する区画壁１９を形成しその前方を化粧具収納凹部２０とし、後方を化粧品収納皿の嵌合凹部２１として構成している。
【００１３】
化粧品収納皿５は、内部に化粧品を収納するための皿状をなし、図示例では、底壁２２周縁部より周壁２３を立設した矩形皿状をなしている。
【００１４】
本発明では、化粧品収納皿５外面と、中枠周壁部１７内面とに化粧品収納皿５の上方への抜け出しを防止する係合手段ａを設けるとともに、該係合手段ａ形成部位の中枠周壁部１７を揺動可能な揺動板部２４に画成し、該揺動板部外方にその外方への揺動が可能な隙間ｄを設けるとともに、該揺動板部２４を外方へ弾性変形させるレバー２５を本体２外面に露出させている。
【００１５】
係合手段ａは突条と凹条との係合或いは突条相互の乗越え係合、或いは突部と凹部との係合等種々の形態を採用できるが、図示例では、上記嵌合凹部２１内の中枠周壁部１７両側内面に係合手段ａを構成する係合突条２６をそれぞれ突設し、一方、化粧品収納皿５の周壁両側には各係合突条２６が嵌合する係合凹条２７をそれぞれ凹設させている。
【００１６】
また、揺動板部２４も上記要件を満たせば種々の形態を採用できるが、図示例では、上記嵌合凹部２１内における一方の係合突条２６の突設部位の周壁部１７を、前端を連結した横長矩形状に切り離し線２８を介して画成している。また、図示例では揺動板部２４外方の隙間ｄとして上記したフランジ１８により形成した隙間ｄを採用しているが、揺動板部２４が所定幅の外方への弾性変形ができればこれに限られず、例えば本体周壁に凹部を形成することにより隙間を形成しても良い。
【００１７】
また、レバー２５も同様に上記要件を満たせば種々の形態を採用でき、図示例では、揺動板部２４の自由端である後端部下面に一端を連結して周壁部１７に沿って延びる連結板２９を切り離し線３０を介して中枠底壁部１６に画成し、この連結板２９先端部後面より後方へ一体に延設し、本体の上記窓孔１４を介して上記枢着用凹部１０内に臨ませている。従って、レバー２５を揺動板部２４方向へ押圧すれば、揺動板部２４が外方へ押圧されて弾性変形する如く構成している。尚、この際の揺動板部２４の弾性変形幅即ち隙間ｄは、一方の係合手段ａが外れるのに充分な幅があれば良い。
【００１８】
上記の如く構成された化粧用コンパクト容器１は、化粧品収納皿５内の化粧品を使い切った際には、例えば蓋体３を開いた状態でレバー２５を所定方向へ押し込めば一方の係合手段ａの係合が解除され、そのまま容器を逆さまにする等すれば簡単に化粧品収納皿５は中枠４から外れる。また、取り外し後新たに化粧品が充填された化粧品収納皿５を嵌合凹部２１上方より押し込めば揺動板部２４が外方へ開く様に弾性変形して簡単に嵌合できる。
【００１９】
尚、上記各部材は合成樹脂により形成すると良い。
【００２０】
【発明の効果】
以上説明した如く本発明の化粧用コンパクト容器は、既述構成としたことにより、化粧品収納皿５内の化粧品を使い切った後、簡単に取り外すことができ、交換用の化粧品収納皿と容易に交換することができる。しかも、使用時には化粧品収納皿５が確実に中枠４に嵌着して外れる虞はない。また、収納した化粧品の種類が異なる化粧品収納皿５を複数揃えておいて、必要に応じて適宜交換して使用することも可能である。
【００２１】
請求項２発明の化粧用コンパクト容器は、本体後部に凹設した枢着用凹部１０内にレバー２５を臨ませているので、レバー２５が目立たず外見を損なうことがなく、また、通常の容器使用時に邪魔にならないという利点を兼ね備える。
【図面の簡単な説明】
【図１】本発明の一実施例を示す要部縦断面図である。
【図２】同実施例の蓋体を除いた分解斜視図である。
【図３】同実施例の本体に中枠を嵌着した状態の平面図である。
【符号の説明】
２…本体，３…蓋体，４…中枠，５…化粧品収納皿，６…収納凹部，
１０…枢着用凹部，１７…周壁部，２１…化粧品収納皿の嵌合凹部，２４…揺動板部，
２５…レバー，２８…切り離し線，２９…連結板，ａ…係合手段，ｄ…隙間
【図１】
2004033290.tif 000003
【図２】
2004033290.tif 000004
【図３】
2004033290.tif 000005